(57)【要約】      （修正有）【課題】第１突出壁と第２突出壁とを密着状態で突き合わせるとともに、この突き合わせ方向と交差する部分からの光漏を防止できる遊技機を提供する。【解決手段】仕切壁１４０は、レンズ部材からＬＥＤ側に向けて突出する第１突出壁１１５と、ＬＥＤからレンズ部材に向けて突出する第２突出壁１３０とを備え、第１突出壁１１５と第２突出壁１３０とは密着状態で突き合わされ、突き合わせ方向と交差する方向において第１突出壁１１５と第２突出壁１３０とが隙間を持った状態で凹凸嵌合しているので、突き合わせ方向と交差する部分からの光漏を防止できる。【選択図】図６
2019150335.tif 000002
【特許請求の範囲】
【請求項１】
意匠部材と、
当該意匠部材と対向して配置された遮光部材と、
当該遮光部材に設けられた複数の開孔にそれぞれ配置された光源と、
前記意匠部材に設けられて、前記光源によって照らされる被照射部材と、
隣り合う前記光源間でかつ前記意匠部材と前記遮光部材との間に設けられて光を遮蔽可能な仕切壁とを備えた遊技機であって、
前記仕切壁は、前記被照射部材側から前記光源側に向けて突出する第１突出壁と、前記光源側から前記被照射部材側に向けて突出する第２突出壁とを備え、
前記第１突出壁と前記第２突出壁とは、これらの突出方向において密着状態で突き合わされ、
突き合わせ方向と交差する方向において前記第１突出壁と第２突出壁とが隙間を持った状態で凹凸嵌合していることを特徴とする遊技機。
【請求項２】
前記第１突出壁は、当該第１突出壁の突出方向と直交する第１突出壁直交面と、前記突出方向に対して傾斜する第１突出壁傾斜部とを有し、
前記第２突出壁は、当該第２突出壁の突出方向と直交する第２突出壁直交面と、前記突出方向に対して傾斜する第２突出壁傾斜部とを有し、
前記第１突出壁直交面と前記第２突出壁直交面とが隙間なく密接され、
前記第１突出壁傾斜部と前記第２突出壁傾斜部とが隙間を持った状態で凹凸嵌合していることを特徴とする請求項１に記載の遊技機。
【発明の詳細な説明】
【技術分野】
【０００１】
本発明は、意匠部材に設けられた被照射部材を光源によって照らすことで演出を行う遊技機に関する。
【背景技術】
【０００２】
スロットマシンやパチンコ機等の遊技機では、その前面の所定の部位に、意匠部材を兼ねる照明装置が設けられ、この照明装置はＬＥＤ等の光源によって、レンズ部材等の被照射部材を照らすようになっている。このような遊技機として特許文献１〜３に記載のものが知られている。
【０００３】
特許文献１に記載の遊技機は、隣接して配置された発光素子（光源）と、発光素子の前方に配置され、各発光素子により個別に発光可能な隣接した表示部（被照射部材）を有するパネルと、パネルに形成され、表示部の境目に沿って形成された遮光部と、発光素子の間の光を遮る仕切壁と、遮光部に沿ってパネルの裏面に固定され、当該遮光部の裏側から仕切壁の端面に向かって弾性的に突出するとともに、仕切壁の端面に押されて弾性的に変形することで、仕切壁の端面に密着する凸部と、発光素子の点灯を個別に制御可能な発光制御手段を備えている。
【０００４】
特許文献２に記載の遊技機は、前面パネル（例えば中央前面パネル）の裏面に固定され、四方を壁で囲まれたランプハウジングと、このランプハウジング内に位置し、前面パネルの表面の表示部（被照射部材）を裏側から照明する発光源（光源）と、ランプハウジングを取り囲む四方の壁のうち、左右に対向する両側壁に相対向して形成されるとともに、上下方向に所定間隔で複数段形成された差込溝と、複数段の差込溝のうち、少なくとも一つの段の左右に相対向した差込溝に両端部がそれぞれ差し込まれ、ランプハウジング内を上下方向に仕切る遮光板とを備えている。
【先行技術文献】
【特許文献】
【０００５】
【特許文献１】特開２００９−１０６４５５号公報
【特許文献２】特開平０６−２５４２１３号公報
【発明の概要】
【発明が解決しようとする課題】
【０００６】
ところで、光源と、この光源によって照らされる被照射部材との間を光漏れしないように仕切壁によって仕切る場合、特許文献１に記載の遊技機では、表示部（被照射部材）を有するパネルに形成された遮光部に沿って当該パネルの裏面に凸部を形成し、この凸部を仕切壁の端面に密着させることで、光漏れを防止しており、特許文献２に記載の遊技機では、光源が設けられたランプハウジングを構成する左右に対向する両側壁に差込溝を所定間隔で複数段形成し、複数段の差込溝のうち、少なくとも一つの段の左右に相対向した差込溝に遮光板（仕切壁）の両端部を挿し込むことで、当該遮光板の両側に配置されている光源の光漏れを防止している。
【０００７】
一方、意匠部材と、当該意匠部材と対向して配置された遮光部材と、当該遮光部材に設けられた複数の開孔にそれぞれ配置された光源と、前記意匠部材に設けられて、前記光源によって照らされる被照射部材とを備えた遊技機において、隣り合う前記光源間でかつ前記意匠部材と前記遮光部材との間に設けられた仕切壁によって光漏れを防止する場合、光源と被照射部材との間の距離が長いと、この仕切壁成形用の金型に仕切壁を形成するための凹部（キャビティ）に相応の深さが必要なる。この場合、凹部への樹脂材の充填が困難となったり、また、凹部から成形した仕切壁を抜き出し難くなるという問題がある。
【０００８】
このため、仕切壁を被照射部材側から光源側に向けて突出する第１突出壁と、光源側から被照射部材側に向けて突出する第２突出壁によって構成し、これら第１突出壁と第２突出壁とを突き合わせて仕切壁を形成することが考えられる。この場合、第１突出壁と第２突出壁を光漏れが生じないように密着状態で突き合わせるとともに、当該第１突出壁および第２突出壁の突き合わせ方向と交差する方向の位置決めが必要なる。第１突出壁と第２突出壁とを突き合わせ方向と交差する方向に位置決めするには当該第１突出壁と第２突出壁とを突き合わせ方向と交差する方向において密着させればよいが、金型精度や成形誤差、さらに組立誤差等によって、第１突出壁と第２突出壁とを密着させて突き合わせるとともに、突き合わせ方向と交差する方向においても密着させることは困難であり、この突き合わせ方向と交差する部分から光漏れが生じてしまう。
【０００９】
本発明は、前記事情に鑑みてなされたもので、仕切壁を第１突出壁と第２突出壁とで構成した場合に、第１突出壁と第２突出壁とをこれらの突出方向において密着状態で突き合わせるとともに、この突き合わせ方向と交差する部分からの光漏を防止できる遊技機を提供することを目的とする。
【課題を解決するための手段】
【００１０】
前記目的を達成するために、本発明の遊技機は、意匠部材と、当該意匠部材と対向して配置された遮光部材と、当該遮光部材に設けられた複数の開孔にそれぞれ配置された光源と、前記意匠部材に設けられて、前記光源によって照らされる被照射部材と、隣り合う前記光源間でかつ前記意匠部材と前記遮光部材との間に設けられて光を遮蔽可能な仕切壁とを備えた遊技機であって、
前記仕切壁は、前記被照射部材側から前記光源側に向けて突出する第１突出壁と、前記光源側から前記被照射部材側に向けて突出する第２突出壁とを備え、
前記第１突出壁と前記第２突出壁とは、これらの突出方向において密着状態で突き合わされ、
突き合わせ方向と交差する方向において前記第１突出壁と第２突出壁とが隙間を持った状態で凹凸嵌合していることを特徴とする。
【００１１】
本発明においては、仕切壁を構成する第１突出壁と第２突出壁とがこれらの突出方向において密着状態で突き合わされているので、この部分からの光漏れを防止できる。また、突き合わせ方向と傾斜する方向において第１突出壁と第２突出壁とが隙間を持った状態で凹凸嵌合しているので、第１突出壁と第２突出壁とを密着させるとともに、第１突出壁と第２突出壁を容易に凹凸嵌合させることができる。このため突き合わせ方向と交差する方向の位置決めを容易に行えるとともに、凹凸嵌合しているので、この凹凸嵌合部によって光漏れを防止できる。
【００１２】
また、本発明の前記構成において、前記第１突出壁は、当該第１突出壁の突出方向と直交する第１突出壁直交面と、前記突出方向に対して交差する第１突出壁傾斜部とを有し、
前記第２突出壁は、当該第２突出壁の突出方向と直交する第２突出壁直交面と、前記突出方向に対して交差する第２突出壁傾斜部とを有し、
前記第１突出壁直交面と前記第２突出壁直交面とが隙間なく密接され、
前記第１突出壁傾斜部と前記第２突出壁傾斜部とが隙間を持った状態で凹凸嵌合していてもよい。
【００１３】
このような構成によれば、第１突出壁直交面と前記第２突出壁直交面とが隙間なく密接されているので、この部分からの光漏れを防止できる。また、第１突出壁傾斜部と第２突出壁傾斜部とが隙間を持った状態で凹凸嵌合しているので、突き合わせ方向と交差する方向の位置決めを容易に行えるとともに、第１突出壁傾斜部と第２突出壁傾斜部との凹凸嵌合部によって光漏れを防止できる。
【発明の効果】
【００１４】
本発明によれば、第１突出壁と第２突出壁とを密着状態で突き合わせるとともに、この突き合わせ方向と交差する部分からの光漏を防止できる
【図面の簡単な説明】
【００１５】
【図１】本発明の実施の形態に係る遊技機の一例を示すもので、遊技機の正面図である。
【図２】同、照明装置の分解斜視図である。
【図３】同、照明装置の正面図である。
【図４】同、ベース部材を背面側から見た斜視図である。
【図５】同、背面側にＬＥＤ基板が設けられた遮光部材の斜視図である。
【図６】同、仕切壁を示す側断面図である。
【図７】同、（ａ）は図６におけるＡ−Ａ線視断面図、（ｂ）は仕切壁の要部を示す拡大図である。
【発明を実施するための形態】
【００１６】
以下、本発明の実施の形態について図面を参照して説明する。本実施の形態は本発明を遊技機の一つであるスロットマシンに適用した場合を例にとって説明するが、本発明はスロットマシンに限ることなく、パチンコ遊技機等のその他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１７】
まず、発明が適用されるスロットマシンＭの概略構成について説明する。
図１はスロットマシンＭを示す正面図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット、メダルを貯留するとともにメダルを払い出す払い出し装置としてのホッパーユニット等が設けられている。
【００１８】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニットが着脱可能に設けられている。この交換ユニットは、略直方体状に組まれた金属枠である枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１９】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた画像表示装置の表示面を見るために設けられたものである。画像表示装置は液晶表示パネルを有し、画像表示装置では、その表示面に遊技機における演出用の画像が表示されるようになっている。
また、上扉３０の表示窓３２の上側中央部には、報知や演出などを行うための横長の照明装置３３が設けられている。
また、表示窓３２と表示窓３１との間には報知や演出などを行うための横長の照明装置３４，３５，３４が左右に隣接して設けられている。
また、表示窓３１の左右両側には報知や演出などを行うための演出用パネル６１が設けられ、右側の演出用パネル６１には演出ボタン６２が設けられている。演出ボタン６２は、遊技者によって押下操作されるものであり、押下されることで例えば表示窓３２を通して見える画像表示装置に表示される演出画像の態様を変化させ、遊技者に対して遊技への参加意識を高めるとともに、興趣を高めるようにしたものである。例えば、演出ボタン６２の操作に連動して画像表示装置に表示される演出画像を選択することができる。なお、演出ボタン６２の配置は、これに限定されるものではなく、遊技者が押下操作可能な位置に設けられていればよい。
さらに、上扉３０の左右両側にはそれぞれ報知や演出などを行うための照明装置３７が設けられている。
【００２０】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２１】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００２２】
また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２４】
また、下扉４０の上部には、スロットマシンＭを操作するための操作部５０が設けられている。操作部５０には、クレジットされたメダルを払い出すための精算スイッチ５２、遊技を開始させるためのスタートレバー５３、３個の回転リールそれぞれの回転を停止させるための３個のストップボタン５４、メダル（遊技媒体）を投入するためのメダル投入口４２、メダル投入口４２の下方のメダル通路内で発生したメダル詰まりを解消するリジェクトボタン５５、最大数の３枚のメダルをベットするときに操作されるＭＡＸベットボタン５６（ベットボタン）等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２５】
ＭＡＸベットボタン５６は、上方を向くように配置されており、上方から下方に向かって押し込まれるように形成されている。ＭＡＸベットボタン５６を動作させるために必要な力（以下、操作力という）は、約１．０Ｎとなっている。また、ＭＡＸベットボタン５６は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。
また、ストップボタン５４は、前方を向くように配置されており、前方から後方に向かって押し込まれるように形成されている。ストップボタン５４の操作力は、約０．７Ｎとなっている。すなわち、ストップボタン５４の操作力は、ＭＡＸベットボタン５６の操作力よりも小さくなっている。
また、演出ボタン６２は、前方を向くように配置されており、前方から後方に向かって押し込まれるように形成されている。演出ボタン６２の操作力は、ＭＡＸベットボタン５６の操作力よりも大きいか、あるいは同等のものとなっている。演出ボタン６２の操作力は、例えば、約３．０Ｎとなっている。
また、ストップボタン５４および演出ボタン６２は、ＭＡＸベットボタン５６と同様に、押圧部と弾性部材とを備えており、ストップボタン５４および演出ボタン６２の押圧部は、弾性部材によって前方に付勢されている。
また、既述のとおり、ＭＡＸベットボタン５６の操作力は約１．０Ｎとなっている。すなわち、押圧部を押し込んで弾性部材を弾性変形させ、ＭＡＸベットボタン５６が備えるセンサからスイッチＯＮ信号（ボタンが押された旨の信号）が出力される位置まで押圧部を移動させるのに必要な荷重（センサ検知荷重）が約１．０Ｎとなっている。本実施の形態の遊技機においては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ストップボタン５４（操作力約０．７Ｎ）および演出ボタン６２（操作力約３．０Ｎ）についても同様である。
【００２６】
ここで、本実施の形態の遊技機における基本的な遊技の流れを説明する。遊技者がＭＡＸベットボタン５６を押下すると、クレジットされたメダルが投入（ベット）され、遊技を開始することが可能な状態となる。そして、遊技者が遊技を開始する操作としてスタートレバー５３を押下する操作を行うと、回転リールが回転を始め、回転リールの回転速度が所定の速度まで上昇するとストップボタン５４の押下操作が有効な状態となる。その後、遊技者が任意のタイミングでストップボタン５４を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
また、演出ボタン６２は、例えば、ボーナスに当たったことや、遊技者にとって有利な状態に移行することが決定したこと等の、遊技者にとって喜ばしいことを遊技者に報知する場合や、遊技者にとっての勝負所等の所定のタイミングで、演出の態様を変化させるための押下操作が有効な状態となる。そして、当該押下操作が有効な状態で、演出ボタン６２が押下されると、画像表示装置に表示される演出画像の態様が変化したり、可動役物が動いたりして、演出の態様が変化する。
【００２７】
上記から明らかなように、ストップボタン５４は、遊技毎に回転リールの数に応じた複数個押下する必要がある。このとき、ストップボタン５４の操作力が、ＭＡＸベットボタン５６および演出ボタン６２の操作力よりも小さく設定されていることにより、遊技者は、ストップボタン５４の操作に関して軽くて心地よい操作フィーリングを得ることができるとともに、テンポよくすべてのストップボタン５４を押下することが可能となる。したがって、遊技者は快適に遊技を行うことが可能となり、遊技性が向上する。また、このように使用頻度の高いストップボタン５４の操作力が小さく設定されていることにより、遊技者の疲労の蓄積が軽減され、遊技性が向上する。
【００２８】
また、ＭＡＸベットボタン５６は、遊技を開始するための操作に用いられることや、上から叩くようにして操作することが可能であることから、強い力で操作されることも多いが、ストップボタン５４よりも操作力が大きく設定されていることにより、遊技者は適度に押しごたえのある操作フィーリングを得ることができ、遊技性が向上する。
【００２９】
また、演出ボタン６２は、ストップボタン５４やＭＡＸベットボタン５６よりも操作頻度が低い。また、演出ボタン６２は、上記のように遊技者にとって喜ばしいことを遊技者に報知する場合や、遊技者にとっての勝負所等で、演出の態様を変化させるための押下操作が有効な状態となるので、気分が高揚した状態の遊技者によって強い力で操作される傾向がある。このような演出ボタン６２の操作力が、ストップボタン５４の操作力より大きく、かつＭＡＸベットボタン５６の操作力以上となるように設定されているので、遊技者は重くてずっしりとした操作フィーリングを得ることができ、遊技性が向上する。
【００３０】
図２は照明装置３３の分解斜視図、図３は同正面図である。照明装置３３は、正面の長手方向（左右方向）中央部に中央部レンズ１００を有し、当該中央部レンズ１００を挟んで左右両側でかつ上部にそれぞれスポットレンズ１０１を有している。また、中央部レンズ１００の背面（裏面）側には中央部インナーレンズ１００ｆが設けられている。
スポットレンズ１０１は左右に所定間隔で設けられた３個のレンズ部材（被照射部材）１０１ａ，１０１ｂ，１０１ｃによって構成されている。レンズ部材１０１ａ，１０１ｂ，１０１ｃはそれぞれ略截頭八角錐筒状に形成されるとともに、その外周面には段差部が設けられている。また、レンズ部材１０１ａ，１０１ｂ，１０１ｃは連結部によって連結されている。
【００３１】
このようなスポットレンズ１０１の外周側にはリフレクタ１０３が設けられている。リフレクタ１０３は左右に所定間隔で設けられた筒状部材１０３ａ，１０３ｂ，１０３ｃによって構成されている。筒状部材１０３ａ，１０３ｂ，１０３ｃはそれぞれ略八角形筒状に形成され、連結部によって連結されている。筒状部材１０３ａ，１０３ｂ，１０３ｃの内側にレンズ部材１０１ａ，１０１ｂ，１０１ｃが設けられている。
【００３２】
前記中央部レンズ１００、中央部インナーレンズ１００ｆ、左右のスポットレンズ１０１およびリフレクタ１０３はベース部材（意匠部材）１０５に取り付けられている。
すなわち、図２に示すように、ベース部材１０５は左右方向に長尺な部材であり、上壁１０５ａ、下壁１０５ｂ、左側壁１０５ｃおよび右側壁１０５ｄを備え、背面側（裏面側）は大きく開口している。また、ベース部材１０５の前面中央部には略矩形の開口部１０６が設けられ、この開口部１０６に略矩形板状の中央部インナーレンズ１００ｆが嵌め込まれて固定されている。
また、この中央部インナーレンズ１００ｆに被さるようにして中央部レンズ１００が設けられている。中央部レンズ１００は上壁１００ａ、下壁１００ｂ、左側壁１００ｃおよび右側壁１００ｄを備え、背面側は大きく開口している。そして、上壁１００ａの後端面がベース部材１０５の上壁１０５ａの前端面に係合し、下壁１００ｂの後端面がベース部材１０５の下壁１０５ｂの前端面に係合し、さらに、左側壁１００ｃおよび右側壁１００ｄがベース部材１０５の中央部に上下に延在して設けられた立壁１０５ｅ，１０５ｅの外側面に係合することによって、中央部レンズ１００がベース部材１０５に取り付けられている。
【００３３】
また、ベース部材１０５の左右両端部の上部には、正面視略八角形状の３つの開孔１１０ａ，１１０ｂ，１１０ｃが所定間隔で左右に隣り合って設けられている。３つの開孔１１０ａ，１１０ｂ，１１０ｃはその上下方向略中央部において連続しており、３つの開孔１１０ａ，１１０ｂ，１１０ｃにそれぞれスポットレンズ１０１の３個のレンズ部材（被照射部材）１０１ａ，１０１ｂ，１０１ｃが挿入固定されている。また、３つの開孔１１０ａ，１１０ｂ，１１０ｃの深さ方向略中央部には、内側に突出する略八角形リング状のフランジが設けられ、当該フランジにそれぞれ３個のレンズ部材１０１ａ，１０１ｂ，１０１ｃを当接することで、当該レンズ部材１０１ａ，１０１ｂ，１０１ｃの深さ方向（軸方向）の位置決めがなされている。
また、３つの開孔１１０ａ，１１０ｂ，１１０ｃの前面開口部の開口端面には、リフレクタ１０３の筒状部材１０３ａ，１０３ｂ，１０３ｃがそれぞれ設けられ、当該筒状部材１０３ａ，１０３ｂ，１０３ｃはそれぞれレンズ部材１０１ａ，１０１ｂ，１０１ｃの外周部に嵌合されている。
【００３４】
また、ベース部材１０５の前面には、スポットレンズ１０１の下側に、固定部材１０４ａによって固定された縦型レンズと、この縦型レンズ１０４ａに直角に接合された複数の棒状の横型レンズ１０４ｂが設けられており、複数の横型レンズ１０４ｂは互いに平行離間して配置されている。
【００３５】
また、図４に示すように、ベース部材１０５の裏面側には、正面側に設けられた３つの開孔１１０ａ，１１０ｂ，１１０ｃが開口しており、隣り合う開孔１１０ａ，１１０ｂ間と、隣り合う開孔１１０ｂ，１１０ｃ間にそれぞれ、レンズ部材１０１ａ，１０１ｂ，１０１ｃ側から後述するＬＥＤ１２７ａ〜１２７ｃ側に向けて突出する第１突出壁１１５が設けられている。
この突出壁１１５の上端部はベース部材１０５の上壁１０５ａの内面に結合され、下端部は上壁１０５ａの端部に対して平行離間して設けられた中壁１０５ｅの上面に結合されている。また、ベース部材１０５の長手方向（左右方向）の中央部と端部との間には立壁１０５ｆが設けられ、この縦壁１０５ｆの上端部は上壁１０５ａの内面に結合され、下端部は中壁１０５ｅの端部に結合されている。
【００３６】
また、第１突出壁１１５は、図４および図６に示すように、板状の突出壁本体１１５ａと軸部１１５ｂとを有している。突出壁本体１１５ａの後端部には台形状の切欠部が設けられており、この切欠部によって突出壁本体１１５ａは、第１突出壁１１５の突出方向と交差する第１突出壁傾斜部１１６，１１６を有している。また、突出壁本体１１５ａの後端面は第１突出壁１１５の突出方向と直交する第１突出壁直交面１１７となっている。
また、前記切欠部の先端部に軸部１１５ｂが設けられており、この軸部１１５ｂには座堀部が設けられ、この座堀部の底面に貫通孔１１５ｃが設けられている。
【００３７】
一方、図６に示すように、スポットレンズ１０１の外周側に嵌合しているリフレクタ１０３の裏面側には、筒状部１０３ｄが突出して設けられている。この筒状部１０３ｄは、開孔１１０ａ，１１０ｂ間および開孔１１０ｂ，１１０ｃ間に設けられている凹部１１５ｇに挿入されている。また、筒状部１０３ｄにはねじ孔１０３ｅが設けられ、このねじ孔１０３ｅに、前記軸部１１５ｂの座堀部から貫通孔１１５ｃに挿通されたねじ１１８をねじ込むことによって、リフレクタ１０３およびスポットレンズ１０１がベース部材１０５に取り付けられている。
【００３８】
ベース部材１０５の内部には、遮光部材１２０がベース部材１０５の前面部と対向離間して配置されている。遮光部材１２０は、図２および図５に示すように、左右に長尺な部材であり、上壁１２１ａ、下壁１２１ｂ、左側壁１２１ｃおよび右側壁１２１ｄを有する枠体１２１を備え、この枠体１２１の内側の左右方向中央部に中央遮光基板部１２２が設けられ、左右両側の上部に側方遮光基板部１２３が設けられている。なお、中央遮光基板部１２２には、その左右幅方向の中央部に上下に延在する補強リブ１２２ｄが設けられている。
【００３９】
中央遮光基板部１２２には、正面視略矩形状の複数の開孔１２２ａが上下左右に所定間隔で設けられている。また、中央部基板部１２２の左右両側部にはそれぞれ縦長矩形状の開孔１２２ｂが設けられている。
側方遮光基板部１２３には、３つの開孔１２３ａ，１２３ｂ，１２３ｃが左右に隣り合って設けられている。開孔１２３ａは正面視略矩形状に形成され、一方の縦縁部が側方遮光基板部１２３の左右方向外側に開放されている。開孔１２３ｂ，１２３ｃは正面視略八角形状に形成されている。また、開孔１２３ａ，１２３ｂ，１２３ｃは開孔１２２ａより大径となっている。
【００４０】
また、遮光部材１２０の裏面側にはＬＥＤ基板１２５が設けられている。図２に示すように、ＬＥＤ基板１２５は中央基板１２５ａと、この中央基板１２５ａの上端部から左右に突出している突出基板１２５ｂ，１２５ｂとを備えている。また、ＬＥＤ基板１２５は、固定部材１３５によって遮光部材１２０の裏面側に固定されている。
ＬＥＤ基板１２５の中央基板１２５ａの表面には、複数のＬＥＤ１２６ａが縦横に所定間隔で設けられ、中央基板１２５ａの左右側部の表面には、複数のＬＥＤ１２６ｂが上下に所定間隔で設けられている。図５に示すように、複数のＬＥＤ１２６ａは、１個ずつ複数の前記開孔１２２ａに配置され、複数のＬＥＤ１２６ｂは縦一列まとめて前記開孔１２２ｂに配置されている。
【００４１】
そして、複数のＬＥＤ１２６ａによって中央部インナーレンズ１００ｆおよび中央部レンズ１００が照らされ、複数のＬＥＤ１２６ｂによって縦型レンズ１０４ａおよび横型レンズ１０４ｂが照らされるようになっている。
なお、複数のＬＥＤ１２６ｂから照射される光は縦型レンズ１０４ａを照らすとともに、この縦型レンズ１０４ａから横型レンズ１０４ｂに光が導入されることで、当該横型レンズ１０４ｂが照らされるようになっている。
【００４２】
また、図２に示すように、突出基板１２５ｂには複数のＬＥＤ１２７ａ〜１２７ｃが設けられている。ＬＥＤ１２７ａは左右方向に隣接して２つあり、ＬＥＤ１２７ｂも左右方向に隣接して２つあり、ＬＥＤ１２７ｃも左右方向に隣接して２つある。
ＬＥＤ１２７ａ，１２７ａとＬＥＤ１２７ｂ，１２７ｂとは左右に離間して配置され、ＬＥＤ１２７ｂ，１２７ｂとＬＥＤ１２７ｃ，１２７ｃとは左右に離間して配置されている。ＬＥＤ１２７ａ、ＬＥＤ１２７ｂおよびＬＥＤ１２７ｃはそれぞれ独立して別々に点灯、点滅制御されるようになっている。
２つのＬＥＤ１２７ａ，１２７ａは前記開孔１２３ａに配置され、２つのＬＥＤ１２７ｂ，１２７ｂは前記開孔１２３ｂに配置され、２つのＬＥＤ１２７ｃ，１２７ｃは前記開孔１２３ｃに配置されている。
【００４３】
そして、２つＬＥＤ１２７ａ，１２７ａによってスポットレンズ１０１のレンズ部材１０１ａが照らされ、２つのＬＥＤ１２７ｂ，１２７ｂによってレンズ部材１０１ｂが照らされ、２つのＬＥＤ１２７ｃ，１２７ｃによってレンズ部材１０１ｃが照らされるようになっている。スポットレンズ１０１の外周側にはリフレクタ１０３が設けられているので、スポットレンズ１０１のレンズ部材１０１ａ，１０１ｂ，１０１ｃの外周側はリフレクタ１０３の筒状部材１０３ａ，１０３ｂ，１０３ｃによって覆われ、これによって、ＬＥＤ１２７ａ〜１２７ｃによってそれぞれ照らされるレンズ部材１０１ａ〜１０１ｃの光が互いに干渉するのを抑制できる。
【００４４】
また、左右両側の側方遮光基板部１２３の下側にはそれぞれ矩形状の貫通孔１２８が設けられている。この貫通孔１２８はスピーカ１２９（図５参照）の後部を挿入するためのものであり、当該貫通孔１２８にスピーカ１２９の後部が挿入され、スピーカ１２９の前部は、ベース部材１０５の裏面側の左右両側部にそれぞれ設けられたスピーカ固定部１０５ｋ（図４参照）にビス等によって固定されている。
【００４５】
また、図２、図５および図６に示すように、側方遮光基板部１２３には、隣り合う開孔１２３ａ，１２３ｂ間と、隣り合う開孔１２３ｂ，１２３ｃ間にそれぞれ、ＬＥＤ１２７ａ〜１２７ｃ側からレンズ部材１０１ａ，１０１ｂ，１０１ｃ側に向けて突出する第２突出壁１３０が設けられている。
この第２突出壁１３０は板状の突出壁本体１３０ａと軸部１３０ｂと張出壁１３０ｃ，１３０ｃとを有している。軸部１３０ｂは円柱状に形成され、突出壁本体１３０ａの上下方向の中央部において、突出壁本体１３０ａより突出するようにして設けられている。突出壁本体１３０ａから突出する軸部１３０ｂの外周部には、三角形板状の張出壁１３０ｃ，１３０ｃが軸部１３０ｂの径方向に対向して設けられている。また、軸部１３０ｂの先端面によってねじ１１８の頭部が嵌め込まれる座堀部の開口が塞がれている。
突出壁本体１３０ａ、軸部１３０ｂおよび張出壁１３０ｃ，１３０ｃは一体的に成形されており、張出壁１３０ｃ，１３０ｃは、レンズ部材１０１ａ１０１ｂ，１０１ｃ側に向かうほど軸部１３０ｂの径方向における幅が狭くなっている。
このような張出壁１３０ｃの斜辺部が第２突出壁１３０の突出方向に対して傾斜する第２突出壁傾斜部１３１となっている。また、突出壁本体１３０ａの先端面は第２突出壁１３０の突出方向と直交する第２突出壁直交面１３２となっている。
また、第２突出壁１３０の上端部は遮光部材１２０の上壁１２１ａの内面に結合され、下端部は上壁１２１ａの端部に対して平行離間して設けられた中壁１２１ｅの上面に結合されている。さらに、中央遮光基板１２２の表面と側方遮光基板１２３との境界部には上下方向に延在する縦壁１２１ｆが設けられ、この縦壁１２１ｆの上端部は遮光部材１２０の上壁１２１ａの内面に結合され、下端部は中壁１２１ｅの端部に結合されている。
【００４６】
このような構成の遮光部材１２０は、その上壁１２１ａと下壁１２１ｂをベース部材１０５の上壁１０５ａと下壁１０５ｂの内面に当接するとともに、中央遮光基板部１２２および側方遮光基板部１２３，１２３の所定の部位をベース部材１０５の裏面側にビス止めすることによってベース部材１０５に取り付けられている。
【００４７】
この状態において、前記第１突出壁１１５と第２突出壁１３０とは、図６に示すように、それらの突出方向において密着状態で突き合わされるともに、突き合わせ方向と交差する方向において第１突出壁１１５と第２突出壁１３０とが隙間を持った状態で凹凸嵌合している。
すなわちまず、第１突出壁１１５の第１突出壁直交面１１７と第２突出壁１３０の第２突出壁直交面１３２とが隙間なく密接されている。
また、図６および図７に示すように、第１突出壁１１５の第１突出壁傾斜部１１６は横断面が谷形（Ｖ字形）の凹条に形成され、第２突出壁１３０の第２突出壁傾斜部１３１は横断面が山形（三角形状）の凸条に形成されている。そして、第１突出壁傾斜部１１６と第２突出壁傾斜部１３１とが隙間を持った状態で凹凸嵌合している。つまり、第１突出壁傾斜部１１６の凹条１１６ａと、第２突出壁傾斜部１３１の凸条１３１ａとが隙間Ｓを持った状態で凹凸嵌合している。
また、第２突出壁１３０の軸部１３０ｂの先端面は第１突出壁１１５の軸部１１５ｂの後端面に隙間なく密着するとともに、軸部１１５ｂに設けられている座堀部の開口を塞いでいる。
【００４８】
このような第１突出壁１１５と第２突出壁１３０とによって、仕切壁１４０が構成されている。この仕切壁１４０は、隣り合うＬＥＤ１２７ａ，１２７ｂ間およびＬＥＤ１２７ｂ，１２７ｃ間でかつ、ベース部材１０５と遮光部材１２０との間に設けられて光を遮蔽可能な壁となっている。つまり、仕切壁１４０を構成する第１突出壁１１５と第２突出壁１３０とは第１突出壁直交面１１７と第２突出壁１３０の第２突出壁直交面１３２とが隙間なく密接されているので、この部分からの光漏れを防止できる。また、第１突出壁傾斜部１１６の凹条１１６ａと、第２突出壁傾斜部１３１の凸条１３１ａとが隙間Ｓを持った状態で凹凸嵌合しているが、この凹凸嵌合部では、仕切壁１４０の壁厚方向において、凹凸嵌合している第１突出壁傾斜部１１６の凹条１１６ａと、第２突出壁傾斜部１３１の凸条１３１ａとが重なりあうので、前記隙間Ｓがあっても光漏れを防止できる。
【００４９】
また、ベース部材１０５の中壁１０５ｅおよび縦壁１０５ｆに、それぞれ遮光部材１２０の中壁１２１ｅおよび縦壁１２１ｆが密接する。
したがって、中壁１０５ｅ，１２１ｅどうしの間および縦壁１０５ｆ，１２１ｆどうしの間からの光漏れを防止できる。
【００５０】
以上のように、本実施の形態によれば、仕切壁１４０を構成する第１突出壁１１５の第１突出壁直交面１１７と第２突出壁１３０の第２突出壁直交面１３２とが隙間なく密接されているので、この部分からの光漏れを防止できる。
また、第１突出壁１１５の第１突出壁傾斜部１１６と第２突出壁１３０の第２突出壁傾斜部１３１とが隙間を持った状態で凹凸嵌合しているので、突き合わせ方向と交差する方向の位置決めを容易に行えるとともに、第１突出壁傾斜部１１６と第２突出壁傾斜部１３１との凹凸嵌合部によって光漏れを防止できる。
【００５１】
なお、本実施の形態では、第１突出壁傾斜部１１６に凹条１１６ａを設け、第２突出壁傾斜部１３１に凸条１３１ａを設けたが、これとは逆に第１突出壁傾斜部１１６に凸条を設け、第２突出壁傾斜部１３１に凹条を設けてもよい。
また、第１突出壁１１５の第１突出壁傾斜部１１６と第２突出壁１３０の第２突出壁傾斜部１３１とが隙間を持った状態で凹凸嵌合させる場合、上述した凹条１１６ａと凸条１３１ａとの凹凸嵌合に限ることはない。例えば、第１突出壁傾斜部１１６に第２突出壁傾斜部１３１に向けて突出する第１突出部を第１突出壁１１５の半分の厚さで設けるとともに、第２突出壁傾斜部１３１に第１突出壁傾斜部１１６に向けて突出する第２突出部を第２突出壁１３０の半分の厚さで設け、これら第１および第２の突出部を仕切壁１４０の厚さ方向において重ねるようにして凹凸嵌合すすればよい。つまり、第１突出壁傾斜部１１６には、第１突出部に対して壁厚方向に隣接する第１凹所が設けられ、第２突出壁傾斜部１３１には、第２突出部に対して壁厚方向に隣接する第２凹所が設けられるので、第１突出部を第２凹所に凹凸嵌合し、第２突出部第１凹所に凹凸嵌合すればよい。
【符号の説明】
【００５２】
１０１ａ，１０１ｂ，１０１ｃ  レンズ部材（被照射部材）
１０５  ベース部材（意匠部材）
１１５  第１突出壁
１１６  第１突出壁傾斜部
１１７  第１突出壁直交面
１２０  遮光部材
１２３ａ，１２３ｂ，１２３ｃ  開孔
１２７ａ，１２７ｂ，１２７ｃ  ＬＥＤ（光源）
１３０  第２突出壁
１３１  第２突出壁傾斜部
１３２  第２突出壁直交面
１４０  仕切壁
【図１】
2019150335.tif 000003
【図２】
2019150335.tif 000004
【図３】
2019150335.tif 000005
【図４】
2019150335.tif 000006
【図５】
2019150335.tif 000007
【図６】
2019150335.tif 000008
【図７】
2019150335.tif 000009